(57)【要約】      （修正有）【課題】筐体の強度を保持しつつ、通風孔をより大きく形成することが可能な電子機器を提供する。【解決手段】上ケースおよび下ケースを示した図である。下ケース７の側壁７ａに設けられている開口部１０は側壁７ａの上端縁７ｂを残して側壁７ａの上下方向ほぼ中央に設けられている。上ケース６の側壁６ａには切欠き部１２が形成され、この切欠き部１２の間には切欠きを規定する突出部１３が設けられている。上ケース６を下ケース７に結合した際、突出部１３は側壁７ａの上端縁７ｂに結合することで、切欠き部１２は上端縁７ｂと協働して開口部１０と異なる別の開口部を形成することになる。【選択図】図４
2006173174.tif 000002
【特許請求の範囲】
【請求項１】
側壁に第１の開口部を有する下ケースと、
上記下ケースに結合される側壁と、この側壁に設けられ、上記下ケースの側壁の上端縁
と協働して第２の開口部を形成する切欠き部とを有する上ケースと、
を具備することを特徴とする電子機器。
【請求項２】
側壁に第１の開口部を有する上ケースと、
上記上ケースに結合される側壁と、この側壁に設けられ、上記上ケースの側壁の下端縁
と協働して第２の開口部を形成する切欠き部とを有する下ケースと、
を具備することを特徴とする電子機器。
【請求項３】
上記切欠き部の上記側壁の上下方向の大きさは上記下ケースの上端縁の上記側壁の上下方
向の大きさ以上であることを特徴とする請求項１記載の電子機器。
【請求項４】
上記切欠き部の上記側壁の上下方向の大きさは上記下ケースの開口部の上下方向の大きさ
よりも小さいことを特徴とする請求項１記載の電子機器。
【請求項５】
上記上ケースと上記したケースとが結合された際、上記上ケースの側壁は上記下ケースの
側壁よりも、内側に位置することを特徴とする請求項１記載の電子機器。
【発明の詳細な説明】
【技術分野】
【０００１】
本発明は、ノート型コンピュータ等の電子機器に係り、特に通風孔の構造に関する。
【背景技術】
【０００２】
従来、ノート型コンピュータ等の電子機器の本体筐体には上ケース、下ケースに独立し
て冷却用の通風孔（冷却装置からの風を吐出あるいは冷却装置へ外部の風を吸気する開口
部）が形成されている。通常、上ケース、下ケースに開口部がそれぞれ独立して形成され
ており、強度的には問題ない。しかしながら、近年の電子機器の薄型化に伴い、上下ケー
スに独立して通風口を形成した場合、これら通風口を規定するために４辺(四角形の開口
部であった場合)あるいは周囲を上下ケースのうち開口部が形成される側のケースで形成
される。（特許文献１参照。）。
【特許文献１】特開２００３−３３７６３８号公報（第４，５，１０図）
【発明の開示】
【発明が解決しようとする課題】
【０００３】
しかし、文献１の構成によれば、筐体自身の厚み方向の寸法が大きくなってしまい、機
器全体が大型化してしまうという問題を有している。
【０００４】
そこで、本発明は、筐体の強度を保持しつつ、通風孔をより大きく形成することは可能
な電子機器の提供を目的とする。
【課題を解決するための手段】
【０００５】
上記目的を達成するために、請求項1に電子機器は、側壁に第1の開口部を有する下ケー
スと、下ケースに結合される側壁と、この側壁に設けられ、下ケースの側壁上端縁と共同
して第２の開口部を形成する切欠き部とを有する上ケースと、を具備することを特徴とす
る。
【０００６】
請求項２に係る電子機器は、側壁に第１の開口部を有する上ケースと、上ケースに結合
される側壁と、この側壁に設けられ、上ケースの側壁下端縁と共同して第２の開口部を形
成する切欠き部とを有する下ケースと、を具備することを特徴とする。
【発明の効果】
【０００７】
本発明によれば、筐体の強度を保持しつつ、通風孔をより大きく形成することは可能と
なる。
【発明を実施するための最良の形態】
【０００８】
以下本発明に係る実施の形態を、図面を参照して説明する。図１は、電子機器の斜視図
である。ノート型コンピュータ（以下電子機器）１は、本体２と、この本体（筐体）２に
ヒンジ部３を介して回動可能に接続される表示部４とを有している。本体２は上ケース６
とこの上ケース６に結合される下ケース７とを有している。本体２条にはキーボード５は
実装されている。筐体２の内部には図示しない、冷却装置が内蔵されている。
【０００９】
図２は、電子機器の側面図である。図３は、電子機器の側面を示した斜視図である。図２
および図３に示すように、筐体２の側面２ａには内部の冷却装置からの風が吐出される通
風孔が設けられる。この通風孔は、下ケース７の側面７ａには開口部１０が形成されてい
る。また、上ケース６の側面６ａにも同様に開口部１１が設けられている。
【００１０】
図４は、上ケースおよび下ケースを示した図である。下ケース７の側壁７ａに設けられ
ている開口部１０は側壁７ａの上端縁７ｂを残して側壁７ａの上下方向ほぼ中央に設けら
れている。
【００１１】
上ケース６の側壁６ａには切欠き部１２が形成され、この切欠き部１２の間には切欠き
を規定する突出部１３が設けられている。上ケース６を下ケース７に結合した際、突出部
１３は側壁７ａの上端縁７ｂに結合することで、切欠き部１２は上端縁７ｂと協働して開
口部１１を形成することになる。
【００１２】
図５は、上ケースおよび下ケースの開口部の関係を示した図である。図５に示すように
上ケース６の側壁６ａの上端から切欠き部１２までの壁部６ｂの長さＬ１は切欠き部１２
の深さ、すなわち突出部１３の長さＬ２よりも小さく形成されている。また、開口部１０
の上端から下ケース７の側壁７ａの上端までの長さ、すなわち上端縁７ｂの長さＬ３は突
出部１３の長さＬ２とほぼ同等か、それ以上の大きさを有することが好ましい。また、開
口部１０の長さは突出部Ｌ３の長さ、すなわち切欠き部１２の深さＬ２より大きくい形成
される野が好ましい。
【００１３】
図６は、上ケースおよび下ケースの結合部を示した図である。上ケース６としたケース
７とを結合する際、上ケース６の突出部１３は櫛歯状になっている。したがって、図６に
示すように、上ケース６の側壁６ａが下ケース７の側壁７ａよりも内部に入り込むように
結合し、下ケース７の上端部７ｂが上ケース６の側壁６ａより突出するように結合すれば
、ユーザにとって安全な筐体となる。
【００１４】
本実施の形態においては、下ケースに開口部を設け、上ケースにきり欠きを設け、互い
に結合することで下ケースおよび上ケースに開口部を形成するように攻勢したが、逆の構
成、すなわち、上ケースに開口部を儲け、下ケースの上端に切欠き部を設けることで、上
ケースとしたケースを組み合わせたつぁ位に上下ケースに開口部を形成するように構成し
てもよいことはもちろんである。
【００１５】
本発明ではその主旨を逸脱しない範囲であれば、上記の実施形態に限定されるものでは
ない。そして、携帯電話、ＰＤＡ等の電子機器に広く適用できるものである。
【図面の簡単な説明】
【００１６】
【図１】電子機器の斜視図。
【図２】電子機器の側面図。
【図３】電子機器の側面を示した斜視図。
【図４】上ケースおよび下ケースを示した図。
【図５】上ケースおよび下ケースの開口部の関係を示した図。
【図６】上ケースおよび下ケースの結合部を示した図。
【符号の説明】
【００１７】
１…ノート型コンピュータ（以下電子機器）、２…本体、３…ヒンジ部、４…表示部、５
…キーボード、６…上ケース、７…下ケース、６ａ，７ａ…側壁、７ｂ…上端縁、１０、
１１…開口部、１２…切欠き部、１３・・・突出部
【図１】
2006173174.tif 000003
【図２】
2006173174.tif 000004
【図３】
2006173174.tif 000005
【図４】
2006173174.tif 000006
【図５】
2006173174.tif 000007
【図６】
2006173174.tif 000008